(57)【要約】【課題】二次元コード乗車券の不正防止に優れた改札処理システムを提供すること。【解決手段】実施形態の改札処理システムは、券発行装置と、情報処理装置と、入場改札装置とを備える。券発行装置は、券識別情報を含む乗車券情報を光学読取可能に記録した乗車券を発行し、前記券識別情報と同一の発行済み券識別情報及び入場駅情報を含む券発行情報を送信する。情報処理装置は、前記券発行情報を受信し、前記入場駅情報に基づき、前記発行済み券識別情報の送信先を判定し、前記送信先に対して前記発行済み券識別情報を送信する。入場改札装置は、前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を入場許可条件の一つとして、入場可否を判定する。【選択図】図６
2012064047.tif 000002
【特許請求の範囲】
【請求項１】
出場駅の指定を受け付け、券識別情報を含む乗車券情報を光学読取可能に記録した乗車券を発行し、前記券識別情報と同一の発行済み券識別情報、入場駅情報、及び出場駅情報を含む券発行情報を送信する券発行装置と、
前記券発行情報を受信し、前記入場駅情報及び前記出場駅情報に基づき、前記発行済み券識別情報の送信先を判定し、前記送信先に対して前記発行済み券識別情報を送信する情報処理装置と、
前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を入場許可条件の一つとして、前記乗車券情報に基づき前記入場許可条件を満たすか否かを判定し、判定結果に応じた動作を実行する入場駅改札装置と、
前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を出場許可条件の一つとして、前記乗車券情報に基づき前記出場許可条件を満たすか否かを判定し、判定結果に応じた動作を実行する出場駅改札装置と、
を備えた改札システム。
【請求項２】
前記入場駅改札装置は、前記発行済み券識別情報を受信してから第１の制限時間経過後に前記発行済み券識別情報を削除する請求項１に記載の改札システム。
【請求項３】
前記入場駅改札装置は、前記乗車券情報に基づく入場許可の判定後に、前記発行済み券識別情報を削除する請求項１又は２に記載の改札システム。
【請求項４】
前記入場駅改札装置は、前記乗車券情報に基づく入場許可の判定に対応して、前記発行済み券識別情報を含む入場情報を送信し、
前記出場駅改札装置は、前記入場情報に含まれた前記発行済み券識別情報を受信する請求項１乃至３の何れか１項に記載の改札システム。
【請求項５】
前記出場駅改札装置は、前記発行済み券識別情報を受信してから第２の制限時間経過後に前記発行済み券識別情報を削除する請求項１乃至４の何れか１項に記載の改札システム。
【請求項６】
前記出場駅改札装置は、前記乗車券情報に基づく出場許可の判定後に、前記発行済み券識別情報を削除する請求項１乃至５の何れか１項に記載の改札システム。
【請求項７】
前記入場駅改札装置は、前記読み取られた前記乗車券情報に含まれた前記券識別情報に一致する前記発行済み券識別情報を記憶していない場合、前記情報処理装置に対して、前記読み取られた前記乗車券情報に含まれた前記券識別情報に一致する前記発行済み券識別情報の有無を問い合わせ、前記読み取られた前記乗車券情報に含まれた前記券識別情報に一致する前記発行済み券識別情報が有ることを入場許可条件の一つとして、前記乗車券情報に基づき前記入場許可条件を満たすか否かを判定し、判定結果に応じた動作を実行する請求項２記載の改札システム。
【請求項８】
前記情報処理装置は、前記乗車券情報に基づく入場許可の判定に対応して、問い合わせを受けた前記発行済み券識別情報を削除する請求項７記載の改札システム。
【請求項９】
前記出場駅改札装置は、前記読み取られた前記乗車券情報に含まれた前記券識別情報に一致する前記発行済み券識別情報を記憶していない場合、前記情報処理装置に対して、前記読み取られた前記乗車券情報に含まれた前記券識別情報に一致する前記発行済み券識別情報の有無を問い合わせ、前記読み取られた前記乗車券情報に含まれた前記券識別情報に一致する前記発行済み券識別情報が有ることを出場許可条件の一つとして、前記乗車券情報に基づき前記出場許可条件を満たすか否かを判定し、判定結果に応じた動作を実行する請求項５記載の改札システム。
【請求項１０】
前記情報処理装置は、前記乗車券情報に基づく出場許可の判定に対応して、問い合わせを受けた前記発行済み券識別情報を削除する請求項９記載の改札システム。
【請求項１１】
前記乗車券に記録された前記乗車券情報を光学的に読み取り、前記情報処理装置により受信された前記券発行情報に含まれた前記発行済み券識別情報と、前記読み取られた前記乗車券情報に含まれた前記券識別情報との最初の一致を精算出場許可条件の一つとして、前記乗車券情報に基づき前記精算出場許可条件を満たすか否かを判定し、運賃不足により前記精算出場許可条件の満足判定が得られない場合には不足運賃を精算し、前記精算出場許可条件の満足判定に対応して、精算券識別情報を含む精算券情報を光学読取可能に記録した精算券を発行し、前記精算券識別情報と同一の発行済み精算券識別情報、及び精算駅情報を含む精算券発行情報を送信する精算装置と、
前記精算券発行情報を受信し、前記精算駅情報に基づき、前記発行済み精算券識別情報の送信先を判定し、前記送信先に対して前記発行済み精算券識別情報を送信する精算券情報処理装置と、
前記発行済み精算券識別情報を受信し、前記発行済み精算券識別情報を記憶し、前記精算券に記録された前記精算券情報を光学的に読み取り、前記発行済み精算券識別情報と前記読み取られた前記精算券情報に含まれた前記精算券識別情報との最初の一致を前記精算出場許可条件の一つとして、前記精算券情報に基づき前記精算出場許可条件を満たすか否かを判定し、判定結果に応じた動作を実行する精算駅改札装置と、
を備えた請求項１乃至５の何れか１項に記載の改札システム。
【請求項１２】
券識別情報を含む乗車券情報を光学読取可能に記録した乗車券を発行し、前記券識別情報と同一の発行済み券識別情報、及び入場駅情報を含む券発行情報を送信する券発行装置と、
前記券発行情報を受信し、前記入場駅情報に基づき、前記発行済み券識別情報の送信先を判定し、前記送信先に対して前記発行済み券識別情報を送信する情報処理装置と、
前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を入場許可条件の一つとして、前記乗車券情報に基づき前記入場許可条件を満たすか否かを判定し、判定結果に応じた動作を実行する入場駅改札装置と、
を備えた改札システム。
【請求項１３】
出場駅の指定を受け付け、券識別情報を含む乗車券情報を光学読取可能に記録した乗車券を発行し、前記券識別情報と同一の発行済み券識別情報、及び出場駅情報を含む券発行情報を送信する券発行装置と、
前記券発行情報を受信し、前記出場駅情報に基づき、前記発行済み券識別情報の送信先を判定し、前記送信先に対して前記発行済み券識別情報を送信する情報処理装置と、
前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を出場許可条件の一つとして、前記乗車券情報に基づき前記出場許可条件を満たすか否かを判定し、判定結果に応じた動作を実行する出場駅改札装置と、
を備えた改札システム。
【請求項１４】
券識別情報と同一の発行済み券識別情報、入場駅情報、及び出場駅情報を含む券発行情報を受信し、前記入場駅情報及び前記出場駅情報に基づき、前記発行済み券識別情報の送信先を判定し、前記送信先に対して前記発行済み券識別情報を送信する情報処理装置と、前記発行済み券識別情報を受信し、前記発行済み券識別情報を記憶し、乗車券に記録された乗車券情報を光学的に読み取り、前記発行済み券識別情報と前記読み取られた前記乗車券情報に含まれた前記券識別情報との最初の一致を入場許可条件の一つとして、前記乗車券情報に基づき前記入場許可条件を満たすか否かを判定し、判定結果に応じた動作を実行する入場駅改札装置と、前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を出場許可条件の一つとして、前記乗車券情報に基づき前記出場許可条件を満たすか否かを判定し、判定結果に応じた動作を実行する出場駅改札装置と、を備えた改札システムに適用可能な券発行装置であって、
出場駅の指定を受け付ける受付手段と、
前記券識別情報を含む前記乗車券情報を光学読取可能に記録した前記乗車券を発行する発行手段と、
前記券識別情報と同一の前記発行済み券識別情報、前記入場駅情報、及び前記出場駅情報を含む前記券発行情報を送信する送信手段と、
を備えた券発行装置。
【請求項１５】
出場駅の指定を受け付け、券識別情報を含む乗車券情報を光学読取可能に記録した乗車券を発行し、前記券識別情報と同一の発行済み券識別情報、入場駅情報、及び出場駅情報を含む券発行情報を送信する券発行装置と、前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を入場許可条件の一つとして、前記乗車券情報に基づき前記入場許可条件を満たすか否かを判定し、判定結果に応じた動作を実行する入場駅改札装置と、前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を出場許可条件の一つとして、前記乗車券情報に基づき前記出場許可条件を満たすか否かを判定し、判定結果に応じた動作を実行する出場駅改札装置と、を備えた改札システムに適用可能な情報処理装置であって、
前記券発行情報を受信する受信手段と、
前記入場駅情報及び前記出場駅情報に基づき、前記発行済み券識別情報の送信先を判定する判定手段と、
前記送信先に対して前記発行済み券識別情報を送信する送信手段と、
を備えた情報処理装置。
【請求項１６】
出場駅の指定を受け付け、券識別情報を含む乗車券情報を光学読取可能に記録した乗車券を発行し、前記券識別情報と同一の発行済み券識別情報、入場駅情報、及び出場駅情報を含む券発行情報を送信する券発行装置と、前記券発行情報を受信し、前記入場駅情報及び前記出場駅情報に基づき、前記発行済み券識別情報の送信先を判定し、前記送信先に対して前記発行済み券識別情報を送信する情報処理装置と、を備えた改札システムに適用可能な入場駅改札装置であって、
前記発行済み券識別情報を受信する受信手段と、
前記発行済み券識別情報を記憶する記憶手段と、
前記乗車券に記録された前記乗車券情報を光学的に読み取る読取手段と、
前記発行済み券識別情報と前記読み取られた前記乗車券情報に含まれた前記券識別情報との最初の一致を入場許可条件の一つとして、前記乗車券情報に基づき前記入場許可条件を満たすか否かを判定する判定手段と、
判定結果に応じた動作を実行する実行手段と、
を備えた入場駅改札装置。
【請求項１７】
出場駅の指定を受け付け、券識別情報を含む乗車券情報を光学読取可能に記録した乗車券を発行し、前記券識別情報と同一の発行済み券識別情報、入場駅情報、及び出場駅情報を含む券発行情報を送信する券発行装置と、前記券発行情報を受信し、前記入場駅情報及び前記出場駅情報に基づき、前記発行済み券識別情報の送信先を判定し、前記送信先に対して前記発行済み券識別情報を送信する情報処理装置と、を備えた改札システムに適用可能な出場駅改札装置であって、
前記発行済み券識別情報を受信する受信手段と、
前記発行済み券識別情報を記憶する記憶手段と、
前記乗車券に記録された前記乗車券情報を光学的に読み取る読取手段と、
前記発行済み券識別情報と前記読み取られた前記乗車券情報に含まれた前記券識別情報との最初の一致を出場許可条件の一つとして、前記乗車券情報に基づき前記出場許可条件を満たすか否かを判定する判定手段と、
判定結果に応じた動作を実行する実行手段と、
を備えた出場駅改札装置。
【請求項１８】
出場駅の指定を受け付け、券識別情報を含む乗車券情報を光学読取可能に記録した乗車券を発行し、前記券識別情報と同一の発行済み券識別情報、入場駅情報、及び出場駅情報を含む券発行情報を送信する券発行装置と、前記券発行情報を受信し、前記入場駅情報及び前記出場駅情報に基づき、前記発行済み券識別情報の送信先を判定し、前記送信先に対して前記発行済み券識別情報を送信する情報処理装置と、前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を入場許可条件の一つとして、前記乗車券情報に基づき前記入場許可条件を満たすか否かを判定し、判定結果に応じた動作を実行する入場駅改札装置と、前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を出場許可条件の一つとして、前記乗車券情報に基づき前記出場許可条件を満たすか否かを判定し、判定結果に応じた動作を実行する出場駅改札装置と、精算券識別情報と同一の発行済み精算券識別情報及び精算駅情報を含む精算券発行情報を受信し、前記精算駅情報に基づき、前記発行済み精算券識別情報の送信先を判定し、前記送信先に対して前記発行済み精算券識別情報を送信する精算券情報処理装置と、前記発行済み精算券識別情報を受信し、前記発行済み精算券識別情報を記憶し、精算券に記録された精算券情報を光学的に読み取り、前記発行済み精算券識別情報と前記読み取られた前記精算券情報に含まれた前記精算券識別情報との最初の一致を精算出場許可条件の一つとして、前記精算券情報に基づき前記精算出場許可条件を満たすか否かを判定し、判定結果に応じた動作を実行する精算駅改札装置と、を備えた改札システムに適用可能な精算装置であって、
前記乗車券に記録された前記乗車券情報を光学的に読み取る読取手段と、
前記情報処理装置により受信された前記券発行情報に含まれた前記発行済み券識別情報と、前記読み取られた前記乗車券情報に含まれた前記券識別情報との最初の一致を前記精算出場許可条件の一つとして、前記乗車券情報に基づき前記精算出場許可条件を満たすか否かを判定する判定手段と、
運賃不足により前記精算出場許可条件の満足判定が得られない場合には不足運賃を精算する精算手段と、
前記精算出場許可判定に対応して、前記精算券識別情報を含む前記精算券情報を光学読取可能に記録した前記精算券を発行する発行手段と、
前記精算券識別情報と同一の前記発行済み精算券識別情報、前記精算駅情報を含む前記精算券発行情報を送信する送信手段と、
を備えた精算装置。
【請求項１９】
出場駅の指定を受け付け、券識別情報を含む乗車券情報を光学読取可能に記録した乗車券を発行し、前記券識別情報と同一の発行済み券識別情報、入場駅情報、及び出場駅情報を含む券発行情報を送信し、
前記券発行情報を受信し、前記入場駅情報及び前記出場駅情報に基づき、前記発行済み券識別情報の送信先を判定し、前記送信先に対して前記発行済み券識別情報を送信し、
前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を入場許可条件の一つとして、前記乗車券情報に基づき入場可否を判定し、
前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を出場許可条件の一つとして、前記乗車券情報に基づき出場可否を判定する改札処理方法。
【発明の詳細な説明】
【技術分野】
【０００１】
本発明の実施形態は、光学読取可能な乗車券情報が記録された乗車券を処理する改札システム、改札処理方法、券発行装置、情報処理装置、入場駅改札装置、及び出場駅改札装置に関する。
【背景技術】
【０００２】
大都市圏では、ＩＣ乗車券に対応可能な改札処理システムが導入されている。例えば、ＩＣ乗車券に対応可能な改札装置に設けられたＩＣカードリーダが、ＩＣ乗車券から乗車券情報を読み取り、ＩＣ乗車券に対応可能な改札装置は、読み取られた乗車券情報に基づき通行可否を判定する。
【０００３】
また、ＩＣ乗車券に対応可能な改札装置は、ＩＣ乗車券以外に、磁気乗車券にも対応可能に構成されている。そのため、ＩＣ乗車券に対応可能な改札装置は、磁気乗車券を受け取り、搬送し、返却するための磁気券搬送機構を備える。上記したようなＩＣ乗車券及び磁気乗車券の両方に対応可能な改札処理システムを構築し、また維持するための鉄道事業者の費用負担は重い。
【０００４】
そこで、磁気乗車券に替わる二次元コード乗車券の導入が提案されている。二次元コード乗車券には、光学的に読み取り可能な二次元コード（例えば、ＱＲコード（登録商標））が記録される。二次元コード乗車券に対応可能な改札装置は、二次元コードを光学的に読み取るためのコードリーダを備えればよい。コードリーダは、二次元コード乗車券に印刷された二次元コードを光学的に読み取り、二次元コード乗車券に対応可能な改札装置は、読み取った二次元コードが示す乗車券情報に基づき通行可否を判定する。
【０００５】
二次元コード乗車券に対応可能な改札装置は、上記した磁気券搬送機構等が不要であるため、磁気乗車券に対応可能な改札装置に比べて、安価に構成することができ、また維持費用も安い。
【０００６】
反面、二次元コードは、比較的簡単にコピーされてしまうため、不正コピーにより作成された不正な二次元コード乗車券による不正乗車を防止する仕組みが必要であり、様々な不正乗車防止の仕組みが提案されている。
【先行技術文献】
【特許文献】
【０００７】
【特許文献１】特開２００９−５９３１９号公報
【発明の概要】
【発明が解決しようとする課題】
【０００８】
例えば、二次元コード乗車券には、二次元コードにより券識別情報が記録される。正規に購入された二次元コード乗車券に記録された券識別情報は、ユニークな情報である。ところが、不正コピーにより作成された不正な二次元コード乗車券に記録されている券識別情報は、ユニークな情報ではなく、コピー元の二次元コード乗車券に記録されている券識別情報と同一の識別情報である。
【０００９】
そこで、各駅の各改札装置へ正規に発行された二次元コード乗車券に記録されている券識別情報を送信し、各二次元コード乗車券から読み取られる識別情報をチェックし、不正な二次元コード乗車券による不正乗車を防止する仕組みが考えられる。
【００１０】
ところが、各駅の各改札装置に対して、正規に発行された二次元コード乗車券に記録されている券識別情報を送信するためには情報通信量が非常に多くなってしまう。また、各改札装置が保持する正規に発行された二次元コード乗車券の券識別情報の情報量も非常に多くなってしまう。このような事情から、不正な二次元コード乗車券による不正乗車を効率良く防止するための仕組みが望まれている。
【００１１】
本発明の目的は、二次元コード乗車券による不正防止に優れた改札処理システム、改札処理方法、券発行装置、情報処理装置、入場駅改札装置、及び出場駅改札装置を提供することにある。
【課題を解決するための手段】
【００１２】
実施形態の改札処理システムは、券発行装置と、情報処理装置と、入場改札装置と、出場改札装置とを備える。券発行装置は、出場駅の指定を受け付け、券識別情報を含む乗車券情報を光学読取可能に記録した乗車券を発行し、前記券識別情報と同一の発行済み券識別情報、入場駅情報、及び出場駅情報を含む券発行情報を送信する。情報処理装置は、前記券発行情報を受信し、前記入場駅情報及び前記出場駅情報に基づき、前記発行済み券識別情報の送信先を判定し、前記送信先に対して前記発行済み券識別情報を送信する。入場改札装置は、前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を入場許可条件の一つとして、前記乗車券情報に基づき前記入場許可条件を満たすか否かを判定し、判定結果に応じた動作を実行する。出場改札装置は、前記発行済み券識別情報を受信し、前記発行済み券識別情報を記憶し、前記乗車券に記録された前記乗車券情報を光学的に読み取り、前記発行済み券識別情報と前記読み取られた前記乗車券情報に含まれた前記券識別情報との最初の一致を出場許可条件の一つとして、前記乗車券情報に基づき前記出場許可条件を満たすか否かを判定し、判定結果に応じた動作を実行する。
【図面の簡単な説明】
【００１３】
【図１】自動券売機の概略構成を示すブロック図である。
【図２】自動改札機の概略構成を示すブロック図である。
【図３】自動精算機の概略構成を示すブロック図である。
【図４】駅サーバの概略構成を示すブロック図である。
【図５】本社サーバの概略構成を示すブロック図である。
【図６】改札処理システムによる改札処理の一例を示す図である。
【図７】自動改札機による案内画面の一例を示す図である。
【発明を実施するための形態】
【００１４】
以下、実施形態について図面を参照して説明する。
【００１５】
本実施形態の改札システムは、各駅に設置された自動券売機（券発行装置）、自動改札機（改札装置）、自動精算機（精算装置）、駅サーバ（情報処理装置、精算券情報処理装置）を備え、さらに、本社に設置された本社サーバ（情報処理装置）を備える。また、自動券売機、自動改札機、自動精算機、駅サーバ、本社サーバは、鉄道事業者内のネットワークにより接続され、各種情報を送受信可能に構成されている。
【００１６】
本実施形態の改札システムは、例えば、光学的に読み取り可能な情報であるＱＲコードが記録された乗車券を処理可能に構成されている。本実施形態では、改札処理システムが、ＱＲコードが記録された乗車券を処理するケースについて説明するが、ＱＲコード以外の光学的に読み取り可能な情報が記録された乗車券を処理対象とすることもできる。また、本実施形態の改札システムは、ＱＲコードが記録された乗車券を処理することもできるし、ＩＣ乗車券を処理することもできる。
【００１７】
図１は、自動券売機の概略構成を示すブロック図である。図１に示すように、自動券売機１００は、制御部１０１、接客部１０２、発券部１０３、ＩＣカード部１０４、係員操作部１０５、記憶部１０６、紙幣部１０７、硬貨部１０８、金庫部１０９、ジャーナルプリンタ１１０、通信部１１１、電源部１１２を備えている。
【００１８】
制御部１０１は、乗車券発行処理及び乗車券払い戻し処理を制御する。接客部１０２は、表示部等により構成され、乗車券発行処理及び乗車券払い戻し処理に関する各種案内を表示する。発券部１０３は、乗車券を発券する。ＩＣカード部１０４は、ＩＣカードに記録されたデータを読み取り、必要に応じてＩＣカードに対してデータを書き込む。例えば、ＩＣカード部１０４は、ＩＣカードに対して指定された金額をチャージする。係員操作部１０５は、係員操作を受け付けるための入力キー等を備え、例えば、自動券売機の背面に設けられる。
【００１９】
記憶部１０６は、自動券売機の設置駅情報等を記憶する。紙幣部１０７は、旅客により投入された紙幣を鑑査し、紙幣の金種を検出する。硬貨部１０８は、旅客により投入された硬貨を鑑査し、硬貨の金種を検出する。金庫部１０９は、旅客により投入された紙幣、硬貨を保管したり、つり銭用の紙幣、硬貨を保管したりする。ジャーナルプリンタは、乗車券発行に関する各種情報をプリントアウトする。通信部１１１は、例えば、駅サーバ４００と通信する。電源部１１２は、各部へ電力を供給する。
【００２０】
図２は、自動改札機の概略構成を示すブロック図である。図２に示すように、自動改札機２００は、制御部２０１、案内表示部２０２、スピーカ部２０３、係員操作部２０４、記憶部２０５、ＱＲコード読取部２０６、ＩＣカードリーダライタ２０７、検知部２０８、ドア駆動部２０９、判定部２１０、通信部２１１、電源部２１２を備えている。
【００２１】
制御部２０１は、改札処理を制御する。案内表示部２０２は、改札処理に関する各種案内を表示する。スピーカ部２０３は、改札処理に関する各種案内を音声出力する。係員操作部２０４は、係員操作を受け付けるための入力キー等を備え、例えば、自動券売機のカバーにより覆われている。
【００２２】
記憶部２０５は、自動改札機の設置駅情報等を記憶する。ＱＲコード読取部２０６は、乗車券に記録されたＱＲコードを読み取る。ＩＣカードリーダライタ２０７は、ＩＣ乗車券に記録されたデータを読み取ったり、ＩＣ乗車券に入場情報を記録したり、出場情報を記録したりする。検知部２０８は、自動改札機に設けられた複数のセンサからの出力を検知し、自動改札機に対する旅客の進入、通過、進出を検知する。ドア駆動部２０９は、自動改札機に設けられたドアを駆動し、改札通路を封鎖したりする。判定部２１０は、乗車券から読み取られた乗車券情報に基づき入場又は出場を許可するか否かを判定する。通信部２１１は、例えば、駅サーバと通信する。電源部２１２は、各部へ電力を供給する。
【００２３】
図３は、自動精算機の概略構成を示すブロック図である。図３に示すように、自動精算機３００は、制御部３０１、接客部３０２、発券部３０３、ＩＣカード部３０４、係員操作部３０５、記憶部３０６、紙幣部３０７、硬貨部３０８、金庫部３０９、ジャーナルプリンタ３１０、通信部３１１、電源部３１２を備えている。
【００２４】
制御部３０１は、精算処理を制御する。接客部３０２は、表示部等により構成され、精算処理に関する各種案内を表示する。発券部３０３は、精算券を発券する。ＩＣカード部３０４は、ＩＣカードに記録されたデータを読み取り、必要に応じてＩＣカードに対して精算済み情報を書き込む。係員操作部３０５は、係員操作を受け付けるための入力キー等を備え、例えば、自動精算機の背面に設けられる。
【００２５】
記憶部１０６は、自動精算機の設置駅情報等を記憶する。紙幣部１０７は、旅客により投入された紙幣を鑑査し、紙幣の金種を検出する。硬貨部１０８は、旅客により投入された硬貨を鑑査し、硬貨の金種を検出する。金庫部１０９は、旅客により投入された紙幣、硬貨を保管したり、つり銭用の紙幣、硬貨を保管したりする。ジャーナルプリンタは、精算券発行に関する各種情報をプリントアウトする。通信部１１１は、例えば、駅サーバ４００と通信する。電源部１１２は、各部へ電力を供給する。
【００２６】
図４は、駅サーバの概略構成を示すブロック図である。図４に示すように、駅サーバ４００は、制御部４０１、記憶部４０２、通信部４０３、電源部４０４を備えている。
【００２７】
制御部４０１は、受信した情報の送信先等を判断する。記憶部４０２は、受信した情報を記憶する。通信部４０３は、自動券売機、自動改札機、自動精算機、本社サーバ等と通信する。電源部４０４は、各部へ電力を供給する。
【００２８】
図５は、本社サーバの概略構成を示すブロック図である。図５に示すように、本社サーバ５００は、制御部５０１、記憶部５０２、通信部５０３、電源部５０４を備えている。
【００２９】
制御部５０１は、受信した情報の送信先等を判断する。記憶部５０２は、受信した情報を記憶する。通信部５０３は、駅サーバ等と通信する。電源部５０４は、各部へ電力を供給する。
【００３０】
なお、本実施形態では、改札システムが、各駅に設置された機器の情報を管理する駅サーバと、各駅サーバからの情報を集中管理する本社サーバとで全体の情報を管理するケースについて説明するが、本発明は、このようなシステム構成に限定されるものではない。例えば、改札システムは、各駅に設置された機器の情報を管理する駅サーバと、複数の駅サーバからの情報を管理する中継サーバと、各中継サーバからの情報を集中管理する本社サーバとで全体の情報を管理するシステム構成であってもよい。また、改札システムは、各駅に設置された機器の情報を一箇所で管理するサーバで全体の情報を管理するシステム構成であってもよい。
【００３１】
次に、図６を参照して、改札処理システムによる改札処理の流れについて説明する。
【００３２】
旅客は、乗車駅（例えばＡ駅とする）の自動券売機で、目的駅（出場駅）を設定し、必要に応じて小児および割引の設定を行い、自動券売機が算出した金額に従い運賃を支払う。つまり、自動券売機の接客部１０２は、目的駅（例えばＢ駅とする）の指定を受け付け、必要に応じて小児および割引の指定を受け付け、発券部１０３は、受け付けた条件に基づき、乗車券の発行に必要な金額を算出し、紙幣部１０７及び硬貨部１０８は、支払われる紙幣及び硬貨を受け取り、発券部１０３は、光学読取可能なＱＲコード（乗車券情報）を印刷（記録）した乗車券を発行し、乗車券の発売データ（券発行情報）を生成する。
【００３３】
乗車券に印刷されたＱＲコードは、乗車駅（入場駅情報）、目的駅（出場駅情報）、整理番号（券識別情報）、発売日時、大人／小児区分、割引種別、収受金額を含む。上記にて、記憶部１０６が、自動券売機の設置駅情報を記憶することを説明したが、例えば、ＱＲコードに含まれる乗車駅は、記憶部１０６に記憶された設置駅情報が示す駅である。また、ＱＲコードに含まれる目的駅は、自動券売機の接客部１０２を介して受け付けた目的駅である。
【００３４】
さらに、自動券売機の通信部１１１は、Ａ駅の駅サーバに対して、発売データ（券発行情報）を送信する（ＳＴ１）。発売データは、乗車駅、目的駅、整理番号（券識別情報と同一の発行済み券識別情報）、発売日時、大人／小児区分、割引種別、収受金額を含む。
【００３５】
ＱＲコードに含まれる整理番号及び発売データに含まれる整理番号は、実質的に同一の情報であるが、他の正規に発行された乗車券に印刷されたＱＲコードに含まれる整理番号とは異なるユニークな情報である。例えば、整理番号は、発行年月日（年１桁、月２桁、日２桁）、発行駅駅コード（６桁）、発行機号機番号（２桁）、及び券番号（４桁）の１７桁の数字で構成される。
【００３６】
Ａ駅の駅サーバの通信部４０３は、自動券売機からの発売データを受信し、駅サーバの記憶部４０２は、発売データを記憶する。さらに、駅サーバの制御部４０１は、発売データに含まれる乗車駅に基づき、発売データの送信先（Ａ駅内の全ての自動改札機）を判定する。或いは、駅サーバの制御部４０１は、発売データに含まれる乗車駅に基づき、発売データに含まれる整理番号の送信先（Ａ駅内の全ての自動改札機）を判定する。Ａ駅の駅サーバの通信部４０３は、送信先に対して発売データを送信する（ＳＴ２）。或いは、Ａ駅の駅サーバの通信部４０３は、送信先に対して発売データに含まれる整理番号を送信する。言い換えれば、Ａ駅の駅サーバの通信部４０３は、送信先に対して、少なくとも整理番号を送信する。
【００３７】
Ａ駅の各自動改札機の通信部２１１は、駅サーバからの発売データを受信し、自動改札機の記憶部２０５は、発売データを記憶する。或いは、Ａ駅の各自動改札機の通信部２１１は、駅サーバからの整理番号を受信し、自動改札機の記憶部２０５は、整理番号を記憶する。つまり、Ａ駅の各自動改札機は、発売データを記憶してもよいし、発売データに含まれる整理番号だけを記憶してもよい。自動改札機の制御部２０１は、発売データ又は整理番号を受信してから所定時間（例えば５分）経過後に、発売データ又は整理番号を削除する。或いは、自動改札機の制御部２０１は、発売データに含まれる発売日時から所定時間（例えば５分）経過後に、発売データを削除する。自動改札機は、発売データ又は整理番号を削除する替わりに、発売データ又は整理番号を通行不許可情報として保持してもよい。
【００３８】
自動券売機で乗車券を購入した旅客は、Ａ駅の自動改札機のＱＲコード読取部２０６に対して乗車券をかざす。ＱＲコード読取部２０６は、乗車券に記録されたＱＲコード（乗車券情報）を読み取る。自動改札機の判定部２１０は、記憶部２０５に記憶された整理番号（券識別情報と同一の発行済み券識別情報）と、ＱＲコード読取部２０６により読み取られたＱＲコード（乗車券情報）に含まれた整理番号（券識別情報）とを比較し、二つの整理番号の最初の一致を入場許可条件の一つとして、ＱＲコードに基づき入場許可条件を満たすか否かを判定する。なお、説明を分かり易くするため、記憶部２０５に記憶された整理番号を発行済み整理番号（又は駅サーバの記憶部４０２に記憶された整理番号を発行済み整理番号）と称し、ＱＲコード読取部２０６により読み取られたＱＲコードに含まれた整理番号を読取整理番号と称する。
【００３９】
入場許可条件としては、例えば次のような条件を含む。
【００４０】
（条件）条件は、発行済み整理番号と読取整理番号との最初の一致である。例えば、発行済み整理番号Ａ１２３４５と第１のタイミングで読み取られた読取整理番号Ｂ１２３４５とが一致（１２３４５が一致）した場合、条件は満たされる。
【００４１】
なお、判定部２１０は、自動改札機の記憶部２０５が発行済み整理番号Ａ１２３４５を記憶していない場合には、Ａ駅の駅サーバの記憶部４０２が発行済み整理番号Ａ１２３４５を記憶していないか問い合わせる。これは、上記説明したように、所定時間経過後に、記憶部２０５に記憶された整理番号が削除されるためである。例えば、花火大会等のイベントの前に、Ａ駅の自動券売機にて乗車券を購入し、イベント終了後に、購入した乗車券でＡ駅の自動改札機から入場しようとすると、Ａ駅の自動改札機の記憶部に記憶された整理番号が削除されている場合がある。このような場合でも、上記したように、Ｂ駅の駅サーバへ問い合わせることにより、正規に購入された乗車券であれば入場許可条件を満たすことができる。なお、自動改札機が駅サーバに問い合わせている間は、例えば、図７に示すように、自動改札機の案内表示部２０２が、「そのままお待ち下さい。乗車券の発売記録を確認しています。」などの案内を表示する。
【００４２】
制御部２０１は、条件が満たされ、入場許可条件が全て満たされ、入場を許可する場合に、発行済み整理番号Ａ１２３４５を削除する。これにより、第１のタイミングの後続の第２のタイミングで読取整理番号Ｂ１２３４５が読み取られたとしても、条件が満たされることはない。
【００４３】
仮に、制御部２０１が、入場を許可する場合に、発行済み整理番号Ａ１２３４５を削除しない場合でも、発行済み整理番号Ａ１２３４５に入場許可フラグを付加することにより、判定部２１０は、入場許可フラグ付きの発行済み整理番号Ａ１２３４５と第２のタイミングで読み取られた読取整理番号Ｂ１２３４５とが一致しても、条件を満足しないと判定する。
【００４４】
判定部２１０は、入場判定結果を制御部２０１へ通知し、制御部２０１は、入場判定結果に基づき各種動作を制御する。例えば、制御部２０１は、入場許可判定の判定結果を受け取ると、入場許可判定に使用された発売データを削除し、ドア駆動部２０９にドア解放の指示を送信し、案内表示部２０２に入場案内情報を送信し、さらに、上位サーバに対して入場許可情報を送信するように制御する。これに対応して、ドア駆動部２０９は、ドアの駆動を制御し、ドアによる改札通路の通行阻止を解除する。また、案内表示部２０２は、入場案内情報を表示する。さらに、通信部２１１は、Ａ駅の駅サーバに入場許可情報を送信する（ＳＴ３）。例えば、入場許可情報は、入場許可判定に使用された発売データ及び入場日時を含む。
【００４５】
Ａ駅の駅サーバの通信部４０３は、入場許可情報を受信し、Ａ駅の駅サーバの制御部４０１は、記憶部４０２から入場許可判定に使用された発売データを削除する。また、Ａ駅の駅サーバの通信部４０３は、上記したように自動改札機から発行済み整理番号Ａ１２３４５を記憶していないか問い合わせを受け、発行済み整理番号Ａ１２３４５により入場を許可したことを示す入場許可情報を受信した場合も、発行済み整理番号Ａ１２３４５に対応した発売データを削除する。
【００４６】
さらに、Ａ駅の駅サーバの制御部４０１は、入場許可情報に基づき入場データを生成する。入場データは、乗車駅、目的駅、整理番号、発売日時、入場日時、大人／小児区分、割引種別、収受金額を含む。Ａ駅の駅サーバの通信部４０３は、目的駅（Ｂ駅とする）の駅サーバと本社サーバに、入場データを送信する（ＳＴ４）。
【００４７】
本社サーバの通信部５０３は入場データを受信し、記憶部５０２は入場データを記憶する。各駅の駅サーバの通信部４０３は他駅の駅サーバから送信される入場データを受信し、記憶部４０２は入場データを記憶する。例えば、Ｂ駅の駅サーバの通信部４０３は、Ａ駅の駅サーバから送信される入場データを受信し、記憶部４０２は入場データを記憶する。さらに、Ｂ駅の駅サーバの制御部４０１は、入場データに含まれる目的駅（例えばＢ駅）に基づき、入場データの送信先（Ｂ駅内の全ての自動改札機）を判定する。或いは、Ｂ駅の駅サーバの制御部４０１は、入場データに含まれる目的駅（例えばＢ駅）に基づき、入場データに含まれる整理番号の送信先（Ｂ駅内の全ての自動改札機）を判定する。Ｂ駅の駅サーバの通信部４０３は、送信先に対して入場データを送信する（ＳＴ５）。或いは、Ｂ駅の駅サーバの通信部４０３は、送信先に対して整理番号を送信する。言い換えれば、Ｂ駅の駅サーバの通信部４０３は、送信先に対して、少なくとも整理番号を送信する。
【００４８】
Ｂ駅の各自動改札機の通信部２１１は、駅サーバからの入場データを受信し、自動改札機の記憶部２０５は、入場データを記憶する。或いは、Ｂ駅の各自動改札機の通信部２１１は、駅サーバからの整理番号を受信し、自動改札機の記憶部２０５は、整理番号を記憶する。つまり、Ｂ駅の各自動改札機は、入場データを記憶してもよいし、入場データに含まれる整理番号だけを記憶してもよい。自動改札機の制御部２０１は、入場データ又は整理番号を受信してから所定時間（例えば６０分）経過後に、発売データ又は整理番号を削除する。或いは、自動改札機の制御部２０１は、発売データに含まれる入場日時及び乗車駅から算出される移動必要時間経過後に、発売データを削除する。乗車駅（Ａ駅）から目的駅（Ｂ駅）までの所要時間が６０分の場合、例えば、制御部２０１は、所要時間と予備時間（例えば２０分）とを合計した８０分を移動必要時間として算出する。自動改札機は、入場データ又は整理番号を削除する替わりに、入場データ又は整理番号を通行不許可情報として保持してもよい。
【００４９】
Ａ駅の自動改札機で改札処理された乗車券を所持した旅客は、Ｂ駅の自動改札機のＱＲコード読取部２０６に対して乗車券をかざす。ＱＲコード読取部２０６は、乗車券に記録されたＱＲコード（乗車券情報）を読み取る。自動改札機の判定部２１０は、記憶部２０５に記憶された整理番号（券識別情報と同一の発行済み券識別情報）と、ＱＲコード読取部２０６により読み取られたＱＲコード（乗車券情報）に含まれた整理番号（券識別情報）とを比較し、二つの整理番号の最初の一致を出場許可条件の一つとして、ＱＲコードに基づき出場許可条件を満たすか否かを判定する。なお、説明を分かり易くするため、記憶部２０５に記憶された整理番号を発行済み整理番号（又は駅サーバの記憶部４０２に記憶された整理番号を発行済み整理番号）と称し、ＱＲコード読取部２０６により読み取られたＱＲコードに含まれた整理番号を読取整理番号と称する。
【００５０】
出場許可条件としては、例えば次のような条件を含む。
【００５１】
（条件）条件は、発行済み整理番号と読取整理番号との最初の一致である。例えば、発行済み整理番号Ａ１２３４５と第１のタイミングで読み取られた読取整理番号Ｂ１２３４５とが一致（１２３４５が一致）した場合、条件は満たされる。
【００５２】
なお、判定部２１０は、自動改札機の記憶部１０５が発行済み整理番号Ａ１２３４５を記憶していない場合には、Ｂ駅の駅サーバの記憶部４０２が発行済み整理番号Ａ１２３４５を記憶していないか問い合わせる。これは、上記説明したように、所定時間経過後に、記憶部２０５に記憶された整理番号が削除されるためである。このような場合でも、上記したように、Ｂ駅の駅サーバへ問い合わせることにより、正規に購入された乗車券であれば出場許可条件を満たすことができる。なお、自動改札機が駅サーバに問い合わせている間は、例えば、図７に示すように、自動改札機の案内表示部２０２が、「そのままお待ち下さい。乗車券の発売記録を確認しています。」などの案内を表示する。
【００５３】
制御部２０１は、条件が満たされ、出場許可条件が全て満たされ、出場を許可する場合に、発行済み整理番号Ａ１２３４５を削除する。これにより、第１のタイミングの後続の第２のタイミングで読取整理番号Ｂ１２３４５が読み取られたとしても、条件が満たされることはない。
【００５４】
仮に、制御部２０１が、出場を許可する場合に、発行済み整理番号Ａ１２３４５を削除しない場合でも、発行済み整理番号Ａ１２３４５に出場許可フラグを付加することにより、判定部２１０は、出場許可フラグ付きの発行済み整理番号Ａ１２３４５と第２のタイミングで読み取られた読取整理番号Ｂ１２３４５とが一致しても、条件を満足しないと判定する。
【００５５】
判定部２１０は、出場判定結果を制御部２０１へ通知し、制御部２０１は、出場判定結果に基づき各種動作を制御する。例えば、制御部２０１は、出場許可判定の判定結果を受け取ると、出場許可判定に使用された入場データを削除し、ドア駆動部２０９にドア解放の指示を送信し、案内表示部２０２に出場案内情報を送信し、さらに、上位サーバに対して出場許可情報を送信するように制御する。これに対応して、ドア駆動部２０９は、ドアの駆動を制御し、ドアによる改札通路の通行阻止を解除する。また、案内表示部２０２は、出場案内情報を表示する。さらに、通信部２１１は、Ｂ駅の駅サーバに出場許可情報を送信する（ＳＴ６）。例えば、出場許可情報は、出場許可判定に使用された入場データ及び出場日時を含む。
【００５６】
Ｂ駅の駅サーバの通信部４０３は、出場許可情報を受信し、Ｂ駅の駅サーバの制御部４０１は、記憶部４０２から出場許可判定に使用された発売データを削除する。
【００５７】
さらに、Ｂ駅の駅サーバの制御部４０１は、出場許可情報に基づき出場データを生成する。出場データは、乗車駅、目的駅、整理番号、発売日時、入場日時、出場日時、大人／小児区分、割引種別、収受金額を含む。Ｂ駅の駅サーバの通信部４０３は、本社サーバに、出場データを送信する（ＳＴ７）。
【００５８】
本社サーバの通信部５０３は出場データを受信し、制御部５０１は、出場データに対応する入場データ（出場データに含まれた整理番号と同じ整理番号を含む入場データ）を検索し、出場データに対応する入場データを削除する。
【００５９】
なお、上記説明では、Ａ駅の駅サーバの制御部４０１が、Ａ駅の自動券売機からの発売データを受信したタイミングで、発売データに含まれる乗車駅に基づき、発売データ（或いは発売データに含まれる整理番号のみ）の送信先（Ａ駅内の全ての自動改札機）を判定し、送信先に対して発売データ（或いは発売データに含まれる整理番号のみ）を送信するケースについて説明した。本発明は、このケースに限定されるものではない。
【００６０】
例えば、Ａ駅の駅サーバの制御部４０１が、Ａ駅の自動券売機からの発売データを受信したタイミングで、発売データに含まれる乗車駅及び目的駅に基づき、発売データ（或いは発売データに含まれる整理番号のみ）の送信先（Ａ駅内の全ての自動改札機とＢ駅内の全ての自動改札機）を判定し、送信先に対して発売データ（或いは発売データに含まれる整理番号のみ）を送信してもよい。つまり、Ａ駅の自動券売機からの発売データを受信したタイミングで、Ａ駅内の全ての自動改札機とＢ駅内の全ての自動改札機に対して、発売データ（或いは発売データに含まれる整理番号のみ）を送信してもよい。また、Ａ駅の駅サーバが、Ｂ駅の駅サーバへ必要な情報を送信してもよいし、Ａ駅の駅サーバが、本社サーバを介して、Ｂ駅の駅サーバへ必要な情報を送信してもよい。
【００６１】
次に、旅客が、目的駅以外の駅（例えば駅Ｃ）で降車する場合について説明する。
【００６２】
旅客が、駅Ｃに設置された自動精算機の接客部３０２に対して乗車券を挿入すると、発券部３０３が、乗車券を取り込んで、乗車券に記録されたＱＲコードを読み取り、ＱＲコードに含まれた整理番号（以下、精算整理番号と称する）を取得する。通信部３１１は、駅Ｃの駅サーバを介して、本社サーバに対して、精算整理番号と同じ整理番号を含む入場データを要求し、駅Ｃの駅サーバを介して、本社サーバから入場データを受信する。本社サーバは、自動精算機へ送信した入場データを削除し、この入場データに含まれた目的駅の駅サーバに対して、この入場データの削除を指示する。これに対応して、目的駅の駅サーバは、この入場データを削除し、さらに目的駅の自動改札機に対して、この入場データの削除を指示する。これに対応して、目的駅の自動改札機は、この入場データを削除する。
【００６３】
自動精算機の発券部３０３は、本社サーバから送信された入場データに含まれた整理番号と、乗車券から読み取られた精算整理番号との最初の一致を精算出場許可条件の一つとして、ＱＲコードに基づき精算出場許可条件を満たすか否かを判定する。
【００６４】
運賃不足が無く精算出場許可条件の満足判定が得られる場合には、発券部３０３は、精算出場許可条件の満足判定に対応して、精算券識別情報を含む精算券情報を光学読取可能に記録した精算券を発行する。
【００６５】
運賃不足により精算出場許可条件の満足判定が得られない場合には、接客部３０２が、運賃不足であること、及び精算金額の投入が必要であることを案内し、不足運賃を精算する。発券部３０３は、精算出場許可条件の満足判定に対応して、整理番号（精算券識別情報）を含む精算券情報を光学読取可能に記録した精算券を発行する。
【００６６】
さらに、通信部３１１は、駅Ｃの駅サーバに対して、精算データ（精算券発行情報）を送信する。精算データは、精算駅、整理番号（精算券識別情報と同一の発行済み精算券識別情報）、精算日時、大人／小児区分、割引種別を含む。駅Ｃの駅サーバの通信部４０３は精算データを受信し、記憶部４０２は精算データを受信し、通信部４０３は駅Ｃの各自動改札機及び本社サーバに対して、精算データを送信する。或いは、通信部４０３は駅Ｃの各自動改札機及び本社サーバに対して精算データに含まれた整理番号を送信する。
【００６７】
Ｃ駅の各自動改札機の通信部２１１は、駅サーバからの精算データを受信し、自動改札機の記憶部２０５は、精算データを記憶する。或いは、Ｃ駅の各自動改札機の通信部２１１は、駅サーバからの整理番号を受信し、自動改札機の記憶部２０５は、整理番号を記憶する。つまり、Ｃ駅の各自動改札機は、精算データを記憶してもよいし、精算データに含まれる整理番号だけを記憶してもよい。自動改札機の制御部２０１は、精算データ又は整理番号を受信してから所定時間（例えば５分）経過後に、精算データ又は整理番号を削除する。或いは、自動改札機の制御部２０１は、精算データに含まれる精算日時から所定時間（例えば５分）経過後に、精算データを削除する。自動改札機は、精算データ又は整理番号を削除する替わりに、精算データ又は整理番号を通行不許可情報として保持してもよい。
【００６８】
自動精算機で精算券を受け取った旅客は、Ｃ駅の自動改札機のＱＲコード読取部２０６に対して精算券をかざす。ＱＲコード読取部２０６は、精算券に記録されたＱＲコード（精算券情報）を読み取る。自動改札機の判定部２１０は、記憶部２０５に記憶された整理番号（精算券識別情報と同一の発行済み精算券識別情報）と、ＱＲコード読取部２０６により読み取られたＱＲコード（精算券情報）に含まれた整理番号（精算券識別情報）とを比較し、二つの整理番号の最初の一致を入場許可条件の一つとして、ＱＲコードに基づき精算出場許可条件を満たすか否かを判定する。なお、説明を分かり易くするため、記憶部２０５に記憶された整理番号を発行済み整理番号（又は駅サーバの記憶部４０２に記憶された整理番号を発行済み整理番号）と称し、ＱＲコード読取部２０６により読み取られたＱＲコードに含まれた整理番号を読取整理番号と称する。
【００６９】
精算出場許可条件としては、例えば次のような条件を含む。
【００７０】
（条件）条件は、発行済み整理番号と読取整理番号との最初の一致である。例えば、発行済み整理番号Ａ１２３４５と第１のタイミングで読み取られた読取整理番号Ｂ１２３４５とが一致（１２３４５が一致）した場合、条件は満たされる。
【００７１】
なお、判定部２１０は、自動改札機の記憶部２０５が発行済み整理番号Ａ１２３４５を記憶していない場合には、Ｃ駅の駅サーバの記憶部４０２が発行済み整理番号Ａ１２３４５を記憶していないか問い合わせる。これは、上記説明したように、所定時間経過後に、記憶部２０５に記憶された整理番号が削除されるためである。自動改札機が駅サーバに問い合わせている間は、例えば、図７に示すように、自動改札機の案内表示部２０２が、「そのままお待ち下さい。乗車券の発売記録を確認しています。」などの案内を表示する。
【００７２】
制御部２０１は、条件が満たされ、精算出場許可条件が全て満たされ、精算出場を許可する場合に、発行済み整理番号Ａ１２３４５を削除する。これにより、第１のタイミングの後続の第２のタイミングで読取整理番号Ｂ１２３４５が読み取られたとしても、条件が満たされることはない。
【００７３】
仮に、制御部２０１が、精算出場を許可する場合に、発行済み整理番号Ａ１２３４５を削除しない場合でも、発行済み整理番号Ａ１２３４５に精算出場許可フラグを付加することにより、判定部２１０は、精算出場許可フラグ付きの発行済み整理番号Ａ１２３４５と第２のタイミングで読み取られた読取整理番号Ｂ１２３４５とが一致しても、条件を満足しないと判定する。
【００７４】
判定部２１０は、精算出場判定結果を制御部２０１へ通知し、制御部２０１は、精算出場判定結果に基づき各種動作を制御する。例えば、制御部２０１は、精算出場許可判定の判定結果を受け取ると、精算出場許可判定に使用された精算データを削除し、ドア駆動部２０９にドア解放の指示を送信し、案内表示部２０２に精算出場案内情報を送信し、さらに、上位サーバに対して精算出場許可情報を送信するように制御する。これに対応して、ドア駆動部２０９は、ドアの駆動を制御し、ドアによる改札通路の通行阻止を解除する。また、案内表示部２０２は、精算出場案内情報を表示する。さらに、通信部２１１は、Ｃ駅の駅サーバに対して精算出場許可情報を送信する。例えば、入場許可情報は、精算出場許可判定に使用された精算データ及び精算出場日時を含む。
【００７５】
Ｃ駅の駅サーバの通信部４０３は、精算出場許可情報を受信し、Ｃ駅の駅サーバの制御部４０１は、記憶部４０２から精算出場許可判定に使用された精算データを削除する。また、Ｃ駅の駅サーバの通信部４０３は、上記したように自動改札機から発行済み整理番号Ａ１２３４５を記憶していないか問い合わせを受け、発行済み整理番号Ａ１２３４５により出場を許可したことを示す出場許可情報を受信した場合も、発行済み整理番号Ａ１２３４５に対応した発売データを削除する。
【００７６】
さらに、Ｃ駅の駅サーバの通信部４０３は、本社サーバに対して精算出場許可情報を送信する。本社サーバの通信部５０３は、精算出場許可情報を受信し、本社サーバの制御部５０１は、記憶部５０２から精算出場許可判定に使用された精算データを削除する。
【００７７】
次に、旅客が、入場前に旅行を中止する場合について説明する。この場合には、自動券売機で乗車券を購入した旅客は、自動券売機で払い戻しを行うことができる。旅客が、自動券売機の接客部１０２に対して乗車券を挿入すると、自動券売機の発券部１０３が、乗車券を取り込んで、乗車券に記録されたＱＲコードを読み取り、ＱＲコードに含まれた整理番号を取得する。自動券売機の通信部１１１は、駅サーバに対して、取得した整理番号と同じ整理番号を含む発売データを要求し、発売データを受信する。駅サーバは、自動券売機へ送信した発売データを削除し、本社サーバに対して、自動券売機へ送信した発売データの削除を指示する。
【００７８】
自動券売機の発券部１０３は、駅サーバから送信された発売データに含まれた整理番号と、乗車券から読み取られた整理番号との最初の一致を払戻許可条件の一つとして、ＱＲコードに基づき払戻許可条件を満たすか否かを判定する。発券部１０３が、払戻許可条件を満たすと判定した場合、接客部１０２が所定金額の払い戻しを案内し、紙幣部１０７及び硬貨部１０８が、所定の金額を払い戻す。
【００７９】
以下、本実施形態の作用効果についてまとめる。
【００８０】
（１）本実施形態の改札システムは、光学読取可能な情報を記録した乗車券を発行し、またこの乗車券に記録された情報を光学的に読み取るシステムである。よって、本実施形態の改札システムの自動改札機は、乗車券を搬送する搬送部を必要としない。つまり、自動改札機のメンテナンス作業を軽減することができる。また、乗車券の券紙を磁性体の券紙ではなく安価な普通紙にすることができるため、乗車券のコストを抑えることができる。
【００８１】
（２）本実施形態の改札システムの駅サーバ及び本社サーバが、乗車券の情報（乗車券の整理番号等）を管理する。これにより、改札時に乗車券の正当性を確認することができる。また、旅客が、乗車券の購入時に、行き先の駅（目的駅）を指定することにより、乗車券の情報の配信先を限定することができ、乗車券の情報するための通信量を抑えることができる。また、旅客が行き先を変更した場合でも、本社サーバで管理された乗車券の情報を利用することにより、精算機で出場のための精算券の発券を受けることができる。
【００８２】
（３）本実施形態の改札システムの駅サーバは、乗車券の情報（乗車券の整理番号等）を管理する。これにより、旅客が旅行を中止した場合に、自動券売機が、払い戻しのための正当性を確認することができ、払い戻しを行うことができる。
【００８３】
（４）本実施形態の改札システムの自動改札機は、自動改札機の記憶部２０５に記憶された整理番号と、自動改札機のＱＲコード読取部２０６により読み取られたＱＲコードに含まれた整理番号とを比較し、二つの整理番号の最初の一致を入場許可条件又は出場許可条件の一つとして、入場改札又は出場改札を許可するか否かを判定する。これにより、不正コピーされた乗車券による不正乗車を防止することができる。
【００８４】
上記実施形態では、上記説明した改札処理を実現するために構築された改札処理システムについて説明したが、本発明はこれに限定されるものではない。例えば、上記説明した改札処理を実現するための改札処理プログラムを、ネットワークを介して、券売機、自動改札機、自動精算機、駅サーバ、本社サーバへダウンロードし、上記説明した改札処理を実現するようにしてもよい。また、上記説明した改札処理を実現するための改札処理プログラムを、光ディスク又は不揮発性メモリ等の情報記憶媒体を介して、券売機、自動改札機、自動精算機、駅サーバ、本社サーバへインストールし、上記説明した改札処理を実現するようにしてもよい。また、上記説明した改札処理を実現するための改札処理プログラムと、改札システムのＯＳ（オペレーティング・システム）等とが共働して、上記説明した改札処理を実現するようにしてもよい。
【００８５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８６】
１００…自動券売機、２００…自動改札機、３００…自動精算機、４００…駅サーバ、５００…本社サーバ
【図１】
2012064047.tif 000003
【図２】
2012064047.tif 000004
【図３】
2012064047.tif 000005
【図４】
2012064047.tif 000006
【図５】
2012064047.tif 000007
【図６】
2012064047.tif 000008
【図７】
2012064047.tif 000009